(57)【特許請求の範囲】
【請求項１】
地盤を掘削して所要長さに亘り露出させた既設流体管において、前記流体管の切断部位近傍の上下流に位置して配設され、前記切断部位を不断水状態で切断する際に生じる切り屑を捕獲し、回収する切り屑回収装置であって、
外周を形成する屈曲自在の弾性帯片と該帯片の周囲に取着された柔軟性ネットから成る網部と、前記流体管周壁に形成した開口を通して該開口外の密封室と開口内の前記流体管内との間で該網部を移動させる操作部とで構成され、前記網部が流体管内に挿入されたときは前記弾性帯片が流体管内壁に伸縮部材により押圧されることを特徴とする不断水切断装置における切り屑回収装置。
【請求項２】
前記弾性帯片は副操作部材により前記流体管内壁に密着する円形状態と、前記密封室内に収納可能な伸長状態とに変形しうる請求項１に記載の不断水切断装置における切り屑回収装置。
【請求項３】
前記副操作部材は前記操作部に摺動案内されている請求項２に記載の不断水切断装置における切り屑回収装置。
【請求項４】
前記弾性帯片は１対で構成され、両片は常に外方に広がるように付勢されている請求項１ないし３の何れかに記載の不断水切断装置における切り屑回収装置。
【発明の詳細な説明】
【０００１】
【発明の属する技術分野】
本発明は、地盤を掘削して所要長さに亘り露出させた既設流体管を不断水状態で切断する際に生じる切り屑を捕獲し、回収する切り屑回収装置に関する。
【０００２】
【従来の技術】
従来の流体管を密封状態で切断する不断水切断装置は、図７に示すように、地盤を掘削して所要長さに亘り露出させた既設流体管の切断部位を密封ケーシング０２により囲み、この密封ケーシング０２で覆われた切断機０３で構成されている。流体管の不断水切断装置における切り屑回収方法は、切断時に生じた密封ケーシング０２の底面に落下した切り屑は、底部に備え付けのドレーンバルブ０４から管内の水圧を利用してドレーンパイプ０５を介して排出できるようになっている。また、穿孔切断完了後にケーシング０２内に残った切り屑はスイーパー工法によって外部に排出していた。
【０００３】
【発明が解決しようとする課題】
しかしながら、このような従来の切り屑回収方法はある程度の切り屑は排出できるが、落下しきれない切り屑は主流にのって本管内を流れてしまう恐れがあり、また、切断完了後のスイーパー工法においても、管内流速によっては下流側に切り屑が流されてしまうことがあった。
【０００４】
このため、流体管の切断箇所近傍にフィルタ部材を密封状態で挿入するようなことも考えられるが、フィルタ部材に切り屑を残さず取り込んで回収することが困難であり、需要箇所の変動により水流の向きが変わると、今まで捕獲していた切り屑がたちまち離散してしまい実用上問題があった。
【０００５】
本発明は、上記課題に鑑みてなされたもので、流体管の切断時に余分な切り屑が流体管内に混入することがなく、確実に外部に取り出すことができる不断水切断装置における切り屑回収装置を提供することを目的としている。
【０００６】
【課題を解決するための手段】
上記課題を達成するために、本発明は地盤を掘削して所要長さに亘り露出させた既設流体管において、前記流体管の切断部位近傍の上下流に位置して配設され、前記切断部位を不断水状態で切断する際に生じる切り屑を捕獲し、回収する切り屑回収装置であって、
外周を形成する屈曲自在の弾性帯片と該帯片の周囲に取着された柔軟性ネットから成る網部と、前記流体管周壁に形成した開口を通して該開口外の密封室と開口内の前記流体管内との間で該網部を移動させる操作部とで構成され、前記網部が流体管内に挿入されたときは前記弾性帯片が流体管内壁に伸縮部材により押圧されることを特徴としている。
この特徴によると、網部が屈曲自在の弾性帯片と柔軟性ネットで構成されているので、開口からの挿脱が容易であり、また、網部が流体管内に挿入されたときは前記弾性帯片が流体管内壁に伸縮部材により押圧されるので、切り屑を残さず取り込むことができる。更に、流体管の切断部位の上下流２箇所に配設してあるので、需要箇所の変動により水流の向きが変動しても、どちらかの切り屑回収装置の網部に切り屑をとらえることができる。
【０００７】
本発明の不断水切断装置における切り屑回収装置は、前記弾性帯片は副操作部材により前記流体管内壁に密着する円形状態と、前記密封室内に収納可能な伸長状態とに変形しうることが好ましい。
このようにすれば、円形状態と伸長状態とにその形状を適宜変形可能であるので、円形状態の時に切り屑を確実に捕獲し、且つ伸長状態にして場所をとらない収納が可能である。
【０００８】
本発明の不断水切断装置における切り屑回収装置は、前記副操作部材が前記操作部に摺動案内されていることが好ましい。
このようにすれば、副操作部材を操作部に摺動案内させることで安定した操作を実現できる。
【０００９】
本発明の不断水切断装置における切り屑回収装置は、前記弾性帯片は１対で構成され、両片は常に外方に広がるように付勢されていることが好ましい。
このようにすれば、一対の弾性帯片を外側に広げようとする付勢力が弾性帯片を流体管内壁に積極的に密着させ、切り屑の捕獲を確実にする。
【００１１】
【発明の実施の形態】
以下、本発明の不断水切断装置における切り屑回収装置について、図１〜図３を参照して説明する。図１は流体管に切断工具を組付けた切断前の不断水切断装置の待機状態を示す側面図、図２の（ａ）は側断面図、（ｂ）は（ａ）のＡ−Ａ断面図、図３は本発明の切り屑回収装置であって、（ａ）はその部分正面断面図で、（ｂ）その部分斜視図である。
【００１２】
図１において、１は、地盤２を掘削して所要長さに亘り露出させた切断対象である既設流体管、例えばスチール製の水道管であって、上昇位置にセットされている、例えばホールソー等の切断工具３を下降させることにより切断される。切断工具３は切断時に不断水状態で切断できるように密封ケーシング４により囲まれている。ここで、ホールソー等の切断工具３は、本発明を実施する為の「不断水切断装置」を構成する。
【００１３】
切り屑回収装置５は、流体管１の穿孔部位または切断部位近傍の上下流に位置する２箇所Ｐ１、Ｐ２に配置されている。この切り屑回収装置５を２箇所設ける理由は、水の需要箇所が変動して水流の向きが変化しても、どちらかの切り屑回収装置５、５に必ず切り屑を捕獲するためである。そして切断前のセット状態においては、操作軸６により網部７が仕切弁８の上部の密封室を構成する切り屑回収ハウジング９内に配設されている。
【００１４】
この切り屑回収装置５は、図２及び図３に示すように、操作部の一部となる操作軸６と、該操作軸６を挿通する副操作部材を構成するスライダパイプ１２と、網部７とで構成されている。網部７はスライダパイプ１２の拡径部１２ａの両側面にヒンジ等で取り付けられた環状の弾性帯片１０と、この帯片１０の周囲に取着された柔軟性ネット１１とから成る。操作軸６の先端に形成されている当接部６ａはヒンジ等により弾性帯片１０の中間部と屈曲自在に取り付けられている。
【００１５】
網部７は流体管１の周壁上部に形成した開口１ａを通してこの開口１ａ外の密封ケーシング４と開口１ａ内の流体管１内との間で移動する。スライダパイプ１２の拡径部１２ａ頂部にはパイプハウジング１３の内周と密封嵌合するためシールリング１４が取り付けられている。
【００１６】
そして、スライダパイプ１２の拡径部１２ａに取り付けられる環状の弾性帯片１０は、圧縮バネ２５を内装したテレスコープ筒体２４（伸縮部材）により押圧されて、流体管１内壁に密着する。
【００１７】
詳しくは図３（ｂ）に示すように、スライダパイプ１２の拡径部１２ａより下方に挿通した操作軸６の途中には中心を横切るよう支持リング２２が装着されており、支持リング２２下方に接続された操作軸６の下端には当接部６ａが形成されており、この支持リング２２には、伸縮可能な多段のテレスコープ筒体２４が挿通し、その中心部位が支持リング２２の内部に突出する支軸２６を介して略水平に軸支されており、その内部には圧縮バネ２５が圧縮状態で内装され、テレスコープ筒体２４の両端には、例えば板ばね等で構成される弾性帯片１０の内壁を押圧付勢するようにガイドローラＲ１、Ｒ２が転動可能に枢着されている。
【００１８】
仕切弁８の上部の切り屑回収ハウジング９内を挿通するスライダパイプ１２内に操作軸６が内装された状態で上方に延出して操作軸６がスライダパイプ１２の上端より挿通突出し、操作軸６とスライダパイプ１２は相対的にも且つ一体的にも上下方向に移動できるように構成され、これらスライダパイプ１２ないし操作軸６は、支持枠体２０に取付けられた外筒２８内に収容保持されている。
【００１９】
環状の弾性帯片１０がパイプハウジング１３の内周に収容可能な縦長状に変形したとき、スライダパイプ１２に設けた上方ロック機構が操作軸６の上方係合溝（図示せず）と係合できるように形成されている。従って、この上方ロック機により操作軸６とスライダパイプ１２は一体的に移動できる。
【００２０】
次に、上記のように構成された切り屑回収装置５の作用に付き、図２の（ａ）、（ｂ）及び図３の（ａ）、（ｂ）を参照して説明する。
【００２１】
先ず、図２（ａ）、（ｂ）に示す待機状態では、切り屑回収ハウジング９とパイプハウジング１３を繋ぐ部分は仕切弁８で流体の連通が遮断されており、この状態で切り屑回収ハウジング９内に柔軟性ネット１１が縦長状に変形されて収容されており、この状態から網部７を流体管１に挿入して切り屑を回収するために、仕切弁８が開放される。
【００２２】
仕切弁８が開かれると、上方の待機位置にある操作軸６とスライダパイプ１２を、操作部による押し下げ操作で、操作軸６の上方係止溝とスライダパイプ１２に設けたロック機構とが係合して一体化された状態で下降させると、弾性帯片１０の下端が流体管１の内周壁底面に当接する。
【００２３】
この状態から上方ロック機構を外してスライダパイプ１２のみを更に下降させると、流体管１内に移動した弾性帯片１０はテレスコープ筒体２４の圧縮バネ２５の付勢力に助成されながらガイドローラＲ１、Ｒ２を介して外方に円形状に拡径されて流体管１の内壁に密着する。この状態を維持させるために、スライダパイプ１２は操作軸６の下方係止溝（図示せず）と係止できる下方ロック機構（図示せず）を有している。なお、この弾性帯片１０の外周部に柔軟性のある密着部材を取り付けておくと、そのシール性を高めることができる。
【００２４】
このようにして、流体管１の切断部位近傍の上下流に位置する２箇所Ｐ１、Ｐ２に配置した切り屑回収装置５の網部７が、図１に示した流体管１内の捕獲位置にそれぞれセットされた後、切断工具３を下降させることにより流体管１が不断水状態で切断される。このとき生成される切り屑は柔軟性ネット１１内に捕獲される。
【００２５】
従来のようにスイーパー管によって流体管１内部の切り屑を外部に排出する工法と違い、屈曲自在の弾性帯片１０と柔軟性ネット１１で構成された網部７を使用しているので、浮遊している切り屑も網部７に捕獲することができる。また、網部７が流体管１内に挿入されたとき、テレスコープ筒体２４により弾性帯片１０が流体管１内壁に密着するので、切り屑を残さず取り込むことができる。
【００２６】
次に、網部７を上方に引き上げる際には、下方ロック機構を外してスライダパイプ１２のみ上方に引き上げ上方ロック機構と上方係止溝とが係止したところで、操作軸６を引き上げれば、網部７は切り屑回収ハウジング９内まで引き上げられ初期のセット位置に戻ることができる。そこで、仕切弁８を閉じた状態とすることで切り屑を捕獲した網部７を外部に取り出すことができる。
【００２７】
このようにすることで、切断時の切り屑を確実に捕獲できるばかりでなく、切り屑回収装置５を、流体管１の切断部位の上下流２箇所Ｐ１、Ｐ２に配設することで、需要の変動により水流の方向が変わっても、切断部位近傍の上下流に位置する２箇所Ｐ１、Ｐ２に切り屑回収装置５が配置してあるので、どちらかの柔軟性ネット１１に切り屑が捕獲されることになる。
【００２８】
また、弾性帯片１０はスライダパイプ１２（副操作部材）により流体管１の内壁に密着する円形状態と、切り屑回収ハウジング９内に収納可能な伸長状態とに変形しうるように構成されているので、円形状態の時に切り屑を確実に捕獲し、且つ伸長状態にして場所をとらない収納が可能となる。
【００２９】
更に、スライダパイプ１２が操作軸６（操作部）により摺動案内されているので、安定した操作を実現できると共に、弾性帯片１０を外側に広げようとするテレスコープ筒体２４内の圧縮バネ２５の付勢力の作用で弾性帯片１０を流体管１内壁に積極的に密着させ、切り屑の捕獲を確実にすることができる。
【００３０】
尚、上述した実施形態では、弾性帯片１０が環状に形成された例で説明したが、左右に２分割して両端を枢動可能に枢着するように構成することもでき、このように構成すれば伸長状態の変形が容易となる。そして、分割した両片が常に外方に広がるように付勢されるような部材を使用すれば、テレスコープ筒体２４の作用と相俟って、流体管１に対する密着性が向上する。
【００３１】
また、弾性帯片１０を円形に拡径するために、伸縮部材にテレスコープ筒体２４を使用した例につき説明したが、操作軸６に対し枢動可能に左右に伸縮するリンク機構を枢着し、この枢着部にねじりバネを使用することで、同様に弾力的に拡径する機能を有することもできる。
【００３２】
【発明の効果】
本発明は以下の効果を奏する。
【００３３】
（ａ）請求項１の発明によれば、網部が屈曲自在の弾性帯片と柔軟性ネットで構成されているので、開口からの挿脱が容易であり、また、網部が流体管内に挿入されたときは前記弾性帯片が流体管内壁に伸縮部材により押圧されるので、切り屑を残さず取り込むことができる。更に、流体管の切断部位の上下流２箇所に配設してあるので、需要箇所の変動により水流の向きが変動しても、どちらかの切り屑回収装置の網部に切り屑をとらえることができる。
【００３４】
（ｂ）請求項２の発明によれば、円形状態と伸長状態とにその形状を適宜変形可能であるので、円形状態の時に切り屑を確実に捕獲し、且つ伸長状態にして場所をとらない収納が可能である。
【００３５】
（ｃ）請求項３の発明によれば、副操作部材を操作部に摺動案内させることで安定した操作を実現できる。
【００３６】
（ｄ）請求項４の発明によれば、一対の弾性帯片を外側に広げようとする付勢力が弾性帯片を流体管内壁に積極的に密着させ、切り屑の捕獲を確実にする。
【図面の簡単な説明】
【図１】本発明の切り屑回収装置であって、流体管に切断工具を組付けた切断前の不断水切断装置の待機状態を示す側面図である。
【図２】（ａ）は側断面図、（ｂ）は（ａ）のＡ−Ａ断面図である。
【図３】本発明の切り屑回収装置であって、（ａ）はその部分正面断面図で、（ｂ）その部分斜視図である。
【図４】従来の流体管を密封状態で切断する不断水切断装置における切り屑回収方法の説明図ある。
【符号の説明】
１                        既設流体管（流体管）
１ａ                      開口
２                        地盤
３                        切断工具
４                        密封ケーシング
５                        切り屑回収装置
６                        操作軸（操作部）
６ａ                      当接部
７                        網部
８                        仕切弁
９                        切り屑回収ハウジング（密封室）
１０                      弾性帯片
１１                      柔軟性ネット
１２                      スライダパイプ（副操作部材）
１２ａ                    拡径部
１３                      パイプハウジング
１４                      シールリング
２０                      支持枠体
２２                      支持リング
２４                      テレスコープ筒体（伸縮部材）
２５                      圧縮バネ
２６                      支軸
２８                      外筒
Ｒ１、Ｒ２                ガイドローラ
【図１】
0004114777.tif 000002
【図２】
0004114777.tif 000003
【図３】
0004114777.tif 000004
【図４】
0004114777.tif 000005